【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
長手方向に直線運動する軸と、前記軸を挿通して支持する筒状の軸支持手段と、前記軸と前記軸支持手段との間に介在する複数の転動体と、前記軸支持手段に嵌入され、前記複数の転動体を保持する筒状の保持手段と、を備え、前記保持手段に、前記複数の転動体を走行させるための無限軌道溝を形成し、前記軸支持手段の内周面に、前記無限軌道溝と対向する対向溝を形成し、前記軸の外周面に、前記無限軌道溝の一部と対向して長手方向に延在する軸溝を形成した直動軸受機構であって、
前記軸支持手段の周方向の断面形状が略輪形であることを特徴とする直動軸受機構。
【請求項２】
請求項１に記載の直動軸受機構において、
前記保持手段の周方向の断面形状が略輪形であることを特徴とする直動軸受機構。
【請求項３】
請求項１又は請求項２に記載の直動軸受機構において、
前記無限軌道溝の一部が、前記軸支持手段の内周面から前記軸の外周面に貫通した貫通溝であり、前記貫通溝に対向する前記対向溝及び前記軸溝がゴシックアーチ溝であることを特徴とする直動軸受機構。
【請求項４】
請求項３に記載の直動軸受機構において、
前記ゴシックアーチ溝をサーキュラーアーク溝又はＶ溝で置換したことを特徴とする直動軸受機構。
【請求項５】
請求項１から請求項４のいずれか１項に記載の直動軸受機構において、
前記保持手段が、分割された保持部材からなることを特徴とする直動軸受機構。
【請求項６】
長手方向に直線運動する軸と、前記軸を挿通して支持する筒状の外筒と、前記軸と前記外筒との間に介在する複数の転動体と、前記外筒に嵌入され、前記複数の転動体を保持する筒状の保持器とを備えた直動軸受機構であって、
前記軸の外周面に前記転動体を走行させる複数条の軸側転動溝を、前記外筒の内周面に前記転動体を走行させる複数条の外筒側転動溝を、前記軸の外周面又は前記外筒の内周面に前記軸側転動溝又は前記外筒側転動溝の間に設けられた逃げ溝を、それぞれ長手方向に沿って形成して、
前記保持器に、前記複数の転動体を案内する複数条の無限軌道溝を形成し、且つ、前記無限軌道溝は、前記軸側転動溝と前記外筒側転動溝との双方に対向して貫通する貫通溝と、前記逃げ溝に対向して開口する開口溝と、前記保持器の両端部に形成され、前記貫通溝と前記開口溝との間を連通して前記転動体を循環させる旋回部とからなり、
前記旋回部の形成された前記保持器の両端部の少なくとも一方が、前記保持器の本体と独立に形成されたことを特徴とする直動軸受機構。
【請求項７】
請求項６に記載の直動軸受機構において、
前記保持器の両端部の前記旋回部に、前記軸側転動溝と前記外筒側転動溝とを連通する傾斜部を有することを特徴とする直動軸受機構。
【請求項８】
請求項６又は請求項７に記載の直動軸受機構において、
前記軸側転動溝と前記外筒側転動溝との間に、前記転動体が嵌入されていることを特徴とする直動軸受機構。
【手続補正２】
【補正対象書類名】明細書
【補正対象項目名】０００５
【補正方法】変更
【補正の内容】
【０００５】
上記課題を解決するために、請求項１に係る本発明の直動軸受機構は、長手方向に直線運動する軸と、前記軸を挿通して支持する筒状の軸支持手段と、前記軸と前記軸支持手段との間に介在する複数の転動体と、前記軸支持手段に嵌入した、前記複数の転動体を保持する筒状の保持手段と、を備え、前記保持手段に、前記複数の転動体を走行させるための無限軌道溝を形成し、前記軸支持手段の内周面に、前記無限軌道溝と対向する対向溝を形成し、前記軸の外周面に、前記無限軌道溝の一部と対向して長手方向に延在する軸溝を形成した直動軸受機構であって、前記軸支持手段の周方向の断面形状が略輪形である構成を有している。
【手続補正３】
【補正対象書類名】明細書
【補正対象項目名】０００６
【補正方法】変更
【補正の内容】
【０００６】
また、請求項２に係る本発明の直動軸受機構は、請求項１において、前記保持手段の周方向の断面形状が略輪形である構成を有している。
【手続補正４】
【補正対象書類名】明細書
【補正対象項目名】０００７
【補正方法】変更
【補正の内容】
【０００７】
また、請求項３に係る本発明の直動軸受機構は、請求項１又は請求項２において、前記無限軌道溝の一部が、前記軸支持手段の内周面から前記軸の外周面に貫通した貫通溝であり、前記貫通溝に対向する前記対向溝及び前記軸溝がゴシックアーチ溝である構成を有している。
【手続補正５】
【補正対象書類名】明細書
【補正対象項目名】０００８
【補正方法】変更
【補正の内容】
【０００８】
また、請求項４に係る本発明の直動軸受機構は、請求項３において、前記ゴシックアーチ溝をサーキュラーアーク溝又はＶ溝で置換した構成を有している。
【手続補正６】
【補正対象書類名】明細書
【補正対象項目名】０００９
【補正方法】変更
【補正の内容】
【０００９】
また、請求項５に係る本発明の直動軸受機構は、請求項１から請求項４のいずれか１項において、前記保持手段が、分割された保持部材からなる構成を有している。
また、請求項６に係る本発明の直動軸受機構は、長手方向に直線運動する軸と、前記軸を挿通して支持する筒状の外筒と、前記軸と前記外筒との間に介在する複数の転動体と、前記外筒に嵌入され、前記複数の転動体を保持する筒状の保持器とを備えた直動軸受機構であって、前記軸の外周面に前記転動体を走行させる複数条の軸側転動溝を、前記外筒の内周面に前記転動体を走行させる複数条の外筒側転動溝を、前記軸の外周面又は前記外筒の内周面に前記軸側転動溝又は前記外筒側転動溝の間に設けられた逃げ溝を、それぞれ長手方向に沿って形成して、前記保持器に、前記複数の転動体を案内する複数条の無限軌道溝を形成し、且つ、前記無限軌道溝は、前記軸側転動溝と前記外筒側転動溝との双方に対向して貫通する貫通溝と、前記逃げ溝に対向して開口する開口溝と、前記保持器の両端部に形成され、前記貫通溝と前記開口溝との間を連通して前記転動体を循環させる旋回部とからなり、前記旋回部の形成された前記保持器の両端部の少なくとも一方が、前記保持器の本体と独立に形成された構成を有している。
また、請求項７に係る本発明の直動軸受機構は、請求項６において、前記保持器の両端部の前記旋回部に、前記軸側転動溝と前記外筒側転動溝とを連通する傾斜部を有する構成を有している。
また、請求項８に係る本発明の直動軸受機構は、請求項６又は請求項７において、前記軸側転動溝と前記外筒側転動溝との間に、前記転動体が嵌入されている構成を有している。
【手続補正７】
【補正対象書類名】明細書
【補正対象項目名】００１０
【補正方法】変更
【補正の内容】
【００１０】
本発明は、少なくとも軸を挿通して支持する筒状の軸支持手段を備え、この軸支持手段の周方向の断面形状が略輪形であることにより、軸支持手段の内周面の加工量が軽減されて加工が容易となるという効果を有する直動軸受機構を提供することができる。
また、本発明は、長手方向に直線運動する軸と、前記軸を挿通して支持する筒状の外筒と、前記軸と前記外筒との間に介在する複数の転動体と、前記外筒に嵌入され、前記複数の転動体を保持する筒状の保持器とを備えた直動軸受機構であって、前記軸の外周面に前記転動体を走行させる複数条の軸側転動溝を、前記外筒の内周面に前記転動体を走行させる複数条の外筒側転動溝を、前記軸の外周面又は前記外筒の内周面に前記軸側転動溝又は前記外筒側転動溝の間に設けられた逃げ溝を、それぞれ長手方向に沿って形成して、前記保持器に、前記複数の転動体を案内する複数条の無限軌道溝を形成し、且つ、前記無限軌道溝は、前記軸側転動溝と前記外筒側転動溝との双方に対向して貫通する貫通溝と、前記逃げ溝に対向して開口する開口溝と、前記保持器の両端部に形成され、前記貫通溝と前記開口溝との間を連通して前記転動体を循環させる旋回部（Ｒ溝部）とからなり、前記旋回部の形成された前記保持器の両端部の少なくとも一方が、前記保持器の本体と独立に形成されたことにより、前記保持器を一体成形した場合に比べ、前記無限軌道溝に対する前記転動体の入出が自由になり、組立が容易になるという効果を有する直動軸受機構を提供することができる。
【手続補正８】
【補正対象書類名】明細書
【補正対象項目名】００２９
【補正方法】変更
【補正の内容】
【００２９】
また、上述した実施形態では、保持器１３を一体形成した場合について説明したが、本発明はこのほかに、保持器１３を２分割あるいは３分割して用いても同様の効果が得られるものである。２分割した構成を図６に示し、３分割した構成を図７に示す。なお、保持器の形状を除き、上述した実施形態と概ね同様の構成を有しているために、説明を一部省略する。図６において、保持器１３′は、第１の保持部材１３ａ′と第２の保持部材１３ｂ′とを有している。なお、非貫通溝１３２ｂ１′は、非貫通溝１３２ｂ１に相当し、貫通溝１３２ｂ２′は、貫通溝１３２ｂ２に相当する。この構成によれば、外筒１１に保持器１３′を嵌入するとき、外筒１１に第１の保持部材１３ａ′を完全に嵌入し、この状態でスラスト方向から複数の転動体１５を無限軌道溝１３２に装填し、さらに第２の保持部材１３ｂ′を外筒１１に嵌入することにより、いわゆる片側エンドキャップ方式による組み立てを実現できる。よって、保持器を一体形成した場合に比べ、無限軌道溝１３２に対する転動体１５の入出が自由になり、組立が容易になる。特に、保持器１３′を嵌入するとき、特に留意しなくても、転動体１５が保持器１３′から脱離することはないという効果も得られる。また、図７において、保持器１３″は、第１の保持部材１３ａ″と第２の保持部材１３ｂ″と第３の保持部材１３ｃ″とを有している。なお、非貫通溝１３２ｂ１″は、非貫通溝１３２ｂ１に相当し、貫通溝１３２ｂ２″は、貫通溝１３２ｂ２に相当する。この構成によれば、外筒１１に保持器１３″を嵌入するとき、外筒１１に第１の保持部材１３ａ″又は第２の保持部材１３ｂ″を完全に嵌入し、次いで第３の保持部材１３ｃ″を完全に嵌入し、この状態でスラスト方向から複数の転動体１５を無限軌道溝１３２に装填し、さらに第２持部材１３ｂ″又は第１の保持部材１３ａ″を外筒１１に嵌入することにより、いわゆる両側エンドキャップ方式による組み立てを実現できる。よって、保持器を一体形成した場合に比べ、無限軌道溝１３２に対する転動体１５の入出が自由になり、組立が容易になる。特に、保持器１３″を嵌入するとき、特に留意しなくても、転動体１５が保持器１３″から脱離することはないという効果も得られる。これらは、請求項５、６、７、８に係る発明の実施の一形態である。
ここで、前述の外筒１１のゴシックアーチ溝１１２は請求項６、７、８のいずれかに記載の「複数条の外筒側転動溝」に相当する。前述の外筒１１の非接触溝１１１及び後述する図８の非接触溝１６３は請求項６、７、８のいずれかに記載の「逃げ溝」に相当する。また、後述する図８の軸１６のゴシックアーチ溝１６２は請求項６、７、８のいずれかに記載の「複数条の軸側転動溝」に相当する。さらに、後述する図８（ａ）の保持器１３において、外筒１１のゴシックアーチ溝１１２と軸１６のゴシックアーチ溝１６２の双方に対向して貫通する溝（貫通溝１３２ｂ２に含まれる）は請求項６、７、８のいずれかに記載の「貫通溝」に相当する。また、前述の保持器１３及び後述する図８の保持器１３において、外筒１１の非接触溝１１１又は軸１６の非接触溝１６３に対向して開口する溝は請求項６、７、８のいずれかに記載の「開口溝」に相当する。
【手続補正９】
【補正対象書類名】明細書
【補正対象項目名】００３３
【補正方法】変更
【補正の内容】
【００３３】
１  直動軸受機構
１１  外筒（「筒状の軸支持手段」に相当する）
１２  止め輪
１３、１３′、１３″  保持器（「筒状の保持手段」に相当する）
１３ａ′、１３ｂ′、１３ａ″、１３ｂ″、１３ｃ″  保持部材
１５  転動体
１６  軸
１１１  外筒の非接触溝（「対向溝」、「逃げ溝」に相当する）
１１２  外筒のゴシックアーチ溝（「対向溝」、「複数条の外筒側転動溝」に相当する）
１１２ａ、１１２ｂ  外筒のゴシックアーチ溝の縁部
１１２ｃ  外筒のゴシックアーチ溝の底部
１３２  無限軌道溝
１３２ａ  無限軌道溝の旋回部（「循環溝」に相当する）
１３２ｂ  無限軌道溝の直線部
１３２ｂ１、１３２ｂ１′、１３２ｂ１″  保持器の非貫通溝
１３２ｂ２、１３２ｂ２′、１３２ｂ２″  保持器の貫通溝
１３２ｂ３  保持器の貫通溝（「逃げ溝」に相当する）
１６１  軸のゴシックアーチ溝（「軸溝」に相当する）
１６１ａ、１６１ｂ  軸のゴシックアーチ溝の縁部
１６１ｃ  軸のゴシックアーチ溝の底部
１６１′  軸のＶ溝（「軸溝」に相当する）
１６１ａ′、１６１ｂ′  軸のＶ溝の縁部
１６１ｃ′  軸のＶ溝の底部
１６１″  軸のサーキュラーアーク溝（「軸溝」に相当する）
１６１ａ″、１６１ｂ″  軸のサーキュラーアーク溝の縁部
１６１ｃ″  軸のサーキュラーアーク溝の底部
１６２  軸のゴシックアーチ溝（「複数条の軸側転動溝」に相当する）
１６３  転動溝（「軸の非接触溝」に相当する）